(57)【特許請求の範囲】
【請求項１】
混合流路、水流路および湯流路を形成する各流路穴を有する円柱体と、筒体とが上下に設けられており、前記円柱体の上面には弁部材を内蔵した湯水混合用のユニットケースが前記上面に係止されながら載置されている水栓本体を備えた水栓を傾斜取付面部に取付けるにあたり、
上部に水栓本体が載置固定され、かつ、前記傾斜取付面部に開設された一つの貫通孔に挿通される筒状の取付足を設け、
この取付足に締結される締結手段を設け、
この締結手段が前記傾斜取付面部の下面を押圧するよう構成され、
さらに、前記筒体は、上部小径部と、この上部小径部から下方に延設され、上部小径部の下面となる内端環状面を残す形で上部小径部の内径よりも大きな内径を有する下部大径部とから構成されるとともに、
前記取付足は、前記内端環状面が当接するよう、かつ、前記下部大径部が外嵌可能となるよう構成されている水栓取付け機構であって、
前記取付足と、前記傾斜取付面部の少なくとも上面形状に対応する形状の傾斜フランジを有し前記取付足を前記貫通孔に挿通したときに前記傾斜フランジが前記傾斜取付面部の上面に当接しながら前記取付足の垂下姿勢を保持するために前記取付足の外周面に別体に設けられる傾斜保持具とよりなり、前記締結手段の前記取付足への締結操作により、前記傾斜取付面部に固定設置される傾斜ユニットと、
前記傾斜ユニットを覆うカバー体とを備え、
前記締結手段の前記取付足への締結操作により前記締結手段が前記傾斜取付面部の下面を押圧するとともに、前記傾斜フランジが前記傾斜取付面部の上面を押圧するよう構成されており、
また、前記傾斜保持具は、取付足が嵌挿される中央穴を有し、また、取付足の外周壁を介して取付足と傾斜保持具とを結合する結合片を中央穴のまわりに立設した状態で有し、この結合片のまわりに前記傾斜フランジが設けられ、
前記結合片には、取付足の外周壁に形成されたねじ孔に対応する孔が設けられており、 また、水栓本体の取付足からの抜けを防止するため、筒体の下部大径部にねじ孔を穿設するとともに、このねじ孔に螺合する止めねじを設け、下部大径部内に下方側から嵌め込まれた取付足の外周壁に前記止めねじを当接させるように構成されていることを特徴とする水栓取付け機構。
【請求項２】
前記カバー体として、係止爪と係止溝よりなる係止手段によって結合される一対のカバー体が設けられており、両者の継目が、水栓本体の正面ではなく両側面に位置するよう構成されている請求項１に記載の水栓取付け機構。
【発明の詳細な説明】
【０００１】
【発明の属する技術分野】
この発明は、水栓を台所の流し台や洗面台、バスタブ等の傾斜取付面部に取付ける際の水栓取付け機構に関するものである。
【０００２】
【従来の技術】
湯水混合栓の一つとして、混合栓本体に給水管および給湯管を連結し、台所の流し台や洗面台、バスタブ等の水平取付面部に開設された一つの貫通孔に前記給水管および給湯管を挿通させることにより、水平取付面部の上面へ混合栓本体が設置される、いわゆる、ワンホール混合栓がある。前記給水管および給湯管は、混合栓本体内に設けた水流入孔および湯流入孔にそれぞれ接続されている。
【０００３】
【発明が解決しようとする課題】
ところで、このようなワンホール混合栓の水平取付面部への取付け機構は種々のタイプのものが提案されている。すなわち、１）混合栓本体の下部にろう付けにより一体に設けた水栓取付足を前記貫通孔に挿通した上で水平取付面部の下面側からのロックナットの前記取付足への締結操作により前記取付足を水平取付面部に固定設置する機構のもの（例えば特願平１０−１０５４１５号の明細書、図面参照）、２）アタプターの脚に下側から羽根付クリップを嵌め込み前記取付足に対してアタプターおよびクリップを仮り止めした状態でこれらを前記貫通孔に挿通してクリップを水平取付面部の下面側に位置させ、その後アタプターの上面側からの締付け操作により共回りしたクリップの前記羽根が外方に開き、これが水平取付面部下面に当接して抜け止め状態を保持しながら前記取付足を水平取付面部に固定設置する機構のもの（例えば特願平１０−２７１５４２号の明細書、図面参照）や、上述の水栓取付足を持たないけれども、３）アタプターを前記貫通孔まわりの水平取付面部の上面に固定した上でアタプターに対して上方から混合栓本体を外嵌合させてビス止めするとともに、ねじ部材を用いた水平取付面部の上面への前記アタプターによる押圧と水平取付面部の下面へのホルダーによる押圧操作によって混合栓本体を水平取付面部に固定設置する機構のもの（例えば特願平１０−２６５２９７号の明細書、図面参照）等がある。
【０００４】
一方、例えば洗面台においては水滴を残りにくくするために、水栓取付面部を例えば４５°のスロープ形状にしたものがある（例えば図３参照）。
【０００５】
この傾斜取付面部に前記各種のワンホール混合栓を直接取付けると混合栓本体が垂直姿勢から傾斜姿勢になることに伴い、混合栓本体に備わっている混合湯水の吐水管や、湯水の混合比の調節機能および止水を含む吐水量の調節を行う操作レバーが極端に傾くので、これを回避するために以下の作業を行う必要があった。
【０００６】
（１）例えば混合栓本体の下部に水栓取付足を一体に設けた前記１）のタイプのものでは、混合栓本体の下部を傾斜取付面部の上面および下面形状に対応する形状に加工して混合栓本体の垂直姿勢を保持するようにするとともに、ロックナットによる締付を前記水平取付面部の場合と同様に簡単に行うために傾斜取付面部の下面側に別途水栓取付足に螺合するアダプターを設け、このアダプターを介してロックナットを水栓取付足に締結する。
【０００７】
（２）また、アタプターおよびクリップによる前記２）のタイプのものでも、混合栓本体の下部およびアタプターを傾斜取付面部の上面形状に対応する形状に加工する。
【０００８】
（３）更に、水栓取付足を持たない前記３）のタイプのものでは、上述のように取付方法が複雑で、かつ、混合栓本体のみならず、傾斜取付面部の上面に固定されるアタプターおよび下面に固定されるホルダーを、それぞれ傾斜取付面部の上面形状および下面形状に対応する形状に加工する。
【０００９】
この発明は、上記問題に鑑みてなしたもので、水栓取付足を用いることなく水栓本体の垂直姿勢をできるだけ簡易な機構で保持できるとともに、例えばワンホール混合栓の各種タイプのものに汎用できる水栓取付け機構を提供することを目的とする。
【００１０】
【課題を解決するための手段】
上記目的を達成するために、この発明は、混合流路、水流路および湯流路を形成する各流路穴を有する円柱体と、筒体とが上下に設けられており、前記円柱体の上面には弁部材を内蔵した湯水混合用のユニットケースが前記上面に係止されながら載置されている水栓本体を備えた水栓を傾斜取付面部に取付けるにあたり、
上部に水栓本体が載置固定され、かつ、前記傾斜取付面部に開設された一つの貫通孔に挿通される筒状の取付足を設け、
この取付足に締結される締結手段を設け、
この締結手段が前記傾斜取付面部の下面を押圧するよう構成され、
さらに、前記筒体は、上部小径部と、この上部小径部から下方に延設され、上部小径部の下面となる内端環状面を残す形で上部小径部の内径よりも大きな内径を有する下部大径部とから構成されるとともに、
前記取付足は、前記内端環状面が当接するよう、かつ、前記下部大径部が外嵌可能となるよう構成されている水栓取付け機構であって、
前記取付足と、前記傾斜取付面部の少なくとも上面形状に対応する形状の傾斜フランジを有し前記取付足を前記貫通孔に挿通したときに前記傾斜フランジが前記傾斜取付面部の上面に当接しながら前記取付足の垂下姿勢を保持するために前記取付足の外周面に別体に設けられる傾斜保持具とよりなり、前記締結手段の前記取付足への締結操作により、前記傾斜取付面部に固定設置される傾斜ユニットと、
前記傾斜ユニットを覆うカバー体とを備え、
前記締結手段の前記取付足への締結操作により前記締結手段が前記傾斜取付面部の下面を押圧するとともに、前記傾斜フランジが前記傾斜取付面部の上面を押圧するよう構成されており、
また、前記傾斜保持具は、取付足が嵌挿される中央穴を有し、また、取付足の外周壁を介して取付足と傾斜保持具とを結合する結合片を中央穴のまわりに立設した状態で有し、この結合片のまわりに前記傾斜フランジが設けられ、
前記結合片には、取付足の外周壁に形成されたねじ孔に対応する孔が設けられており、 また、水栓本体の取付足からの抜けを防止するため、筒体の下部大径部にねじ孔を穿設するとともに、このねじ孔に螺合する止めねじを設け、下部大径部内に下方側から嵌め込まれた取付足の外周壁に前記止めねじを当接させるように構成されていることを特徴とする。
【００１１】
【発明の実施の形態】
以下にこの発明の実施の形態について説明する。なお、この発明はそれによって限定されるものではない。
【００１２】
まず、二つの参考例について図１〜図５を用いて説明する。
図１〜図４は、傾斜取付面部５の下面５ｂ側に、ロックボルト３９の締結操作により傾斜取付面部５の下面５ｂを押圧するアタプター（取付具）３５を設けた一つ目の参考例を示す。なお、この参考例では、水栓を洗面台Ｃの傾斜取付面部５に取付けている。また、前記水栓としてワンホール混合栓１を用いている。
【００１３】
図１〜図４において、１はワンホール混合栓であり、その本体２は筒状の上部ケース体２ａと、混合流路、水流路および湯流路が形成された円柱状の下部ブロック体２ｂとより主としてなる。前記上部ケース体２ａには湯水混合用のユニットケース（図示せず）が収納されている。なお、Ｄは、混合栓本体２の外径である。そして、前記混合栓本体２は前記ユニットケース内に形成される湯水混合室において適宜の比で混合された混合水（熱湯のみ、適温の混合水、水のみの何れか）を吐水する吐水管３が下部ブロック体２ｂに設けられている。また、上部ケース体２ａには、湯水の混合比の調節機能および止水を含む吐水量の調節を行う操作レバー４が設けられている。吐水管３は、前記混合流路に連通する。５は、洗面台Ｃの傾斜取付面部で、例えば４５°のスロープ形状になっている。これは、水滴を残りにくくするためである。この傾斜取付面部５には、後述する筒状の取付足１４が挿通可能な一つの貫通孔８が開設されている。そして、この取付足１４には、混合栓本体２に連結している給水管６および給湯管７が挿入される。前記給湯管７は、下部ブロック体２ｂに設けた湯流入孔を介して前記湯流路に連通している。また、前記給水管６は、下部ブロック体２ｂに設けた水流入孔２ｚを介して前記水流路に連通している。
【００１４】
混合栓本体２の前記下部ブロック体２ｂは、外径がＤで、縦長の大径部１０と、この大径部１０の縦長さよりも遙に短い長さを有し、大径部１０から下方に延設された小径部１１とから構成される。１３は、大径部１０の下面で、幅がｄの外端環状面を構成するとともに、後述する筒状の取付足１４への載置面となる。
【００１５】
１２は、傾斜ユニットで、筒状の取付足１４と、傾斜取付面部５に取付けた前記取付足１４の垂下姿勢を保持するための傾斜保持具５５とよりなる。
【００１６】
更に、前記取付足１４は、混合栓本体２を載置するための大径載置部１５を上部に有し、下部に大径載置部１５よりも数倍も縦長の小径取付部１６を有する。前記大径載置部１５は前記載置面１３が当接する上端環状面１７を有するとともに、この実施形態では、前記混合栓本体２の外径Ｄと同一の外径を有する。また、大径載置部１５の内径は、前記混合栓本体２の前記小径部１１の外径と略等しい。よって、小径部１１が大径載置部１５内に嵌め込まれるとともに、載置面１３が上端環状面１７に当接した形で混合栓本体２を取付足１４上に載置できる。１８は、大径載置部１５の外周壁に穿設されたねじ孔、１９は、先端が尖った形状を有し、ねじ孔１８に螺合する止めねじで、大径載置部１５内に嵌め込まれた小径部１１の外周壁に止めねじ１９を当接させることで混合栓本体２の取付足１４からの抜け止めを防止する。つまり、混合栓本体２の小径部１１を大径載置部１５に内嵌させた後小径部１１をねじ１９止めすることにより、傾斜保持具５５によって取付足１４の垂下姿勢が保持された状態で、混合栓本体２を取付足１４の上部に、水平取付面部へ取付けた場合と同様に垂直姿勢で載置固定できる。なお、小径取付部１６は外周下部に後述するロックナット３９が螺合するねじ部３１を有する。また、１７ａはシール部材（図示せず）を設置する環状設置面である。
【００１７】
よって、混合栓本体２の小径部１１が取付足１４の大径載置部１５に内嵌可能で、かつ、混合栓本体２の載置面１３が取付足１４の大径載置部１５の上端環状面１７に当接可能な大きさになるように混合栓本体２の下部ブロック体２ｂを形成しておけば、各種タイプのワンホール混合栓を１つの傾斜ユニット１２を用いるだけで混合栓本体が垂直姿勢のまま傾斜取付面部５に容易に取付けることが可能となる。
【００１８】
前記傾斜保持具５５は、取付足１４の前記小径取付部１６が嵌挿される中央穴２１を有し、そのまわりに結合片２２が立設されており、更に、この結合片２２のまわりに傾斜取付面部５の上面形状に対応する形状の傾斜フランジ２０を有する。結合片２２は、小径取付部１６を介して取付足１４と傾斜保持具５５とを結合するためのもので、小径取付部１６の外壁面に上下に形成されたねじ孔２３，２４に対応する孔２５，２６を上下に有する。２７は結合用のねじである。なお、傾斜ユニット１２を一体に形成してもよい。
【００１９】
このように構成された傾斜ユニット１２では、取付足１４の小径取付部１６を前記貫通孔８に挿通したときに前記傾斜フランジ２０がシール部材３２を介して傾斜取付面部５の上面５ａに位置しながら取付足１４の垂下姿勢を保持できる。
【００２０】
前記シール部材３２は傾斜フランジ２０と同形で、上剥離紙３４を剥がし、露出した接着面Ｓを傾斜フランジ２０の下面に当接させる。
【００２１】
３５は、傾斜取付面部５の下面５ｂ側に設けられるアタプター（取付具）で、傾斜取付面部５の下面形状に対応する形状の傾斜上部３６と、水平下部３７と、これら上部３６および下部３７間に位置する中間部５０を有し、かつ、取付足１４の前記小径取付部１６が挿通可能な挿通孔３８が傾斜上部３６から水平下部３７にわたり開設されている。そして、アタプター３５は、挿通孔３８に小径取付部１６を挿通した状態で、かつ、ロックナット３９の締付けにより傾斜上部３６の傾斜上面３６ａが傾斜取付面部５の下面５ｂに当接した状態で設けられる。そして、４０は、環状パッキン、４１は座金であり、前記ロックナット３９、環状パッキン４０および座金４１で、取付足１４への締結操作により傾斜ユニット１２を傾斜取付面部５に固定設置するための締結手段が構成されており、アタプター３５の前記水平下部３７の下面３７ａは前記締結手段の当たり面となっている。
【００２２】
すなわち、前記ロックナット３９は、小径取付部１６のねじ部３１との螺合により、アタプター３５、環状パッキン４０および座金４１を介して傾斜ユニット１２を傾斜取付面部５上に固定設置するためのものである。そして、アタプター３５の傾斜上部３６ではなく水平下部３７に、環状パッキン４０および座金４１を介してロックナット３９が位置するので、ロックナット３９による締付け操作を容易にできる。
【００２３】
４２，４３は、傾斜ユニット１２を覆う一対のカバー体で、係止爪４４と係止溝４５よりなる係止手段によって結合されている。
【００２４】
而して、ロックナット３９の取付足１４への締結操作により傾斜上部３６の傾斜取付面部下面５ｂへの押圧と傾斜フランジ２０の傾斜取付面部上面５ａへの押圧によって傾斜ユニット１２を傾斜取付面部５に確実に固定設置できる。すなわち、一つの傾斜ユニット１２を用いるだけの簡易な機構で、各種タイプのワンホール混合栓の混合栓本体２を傾斜取付面部５に取付けることが可能となる。
【００２５】
また、取付足１４の小径取付部１６の垂下姿勢を保持できるので、水平取付面部に混合栓本体を設置した従来と同様に、混合栓本体２の垂直姿勢も保持できる。
【００２６】
図５は、ロックナット３９、環状パッキン４０および座金４１で構成された前記締結手段の当たり面をブロック状の傾斜取付面部６０に設けた二つ目の参考例を示す。なお、図５において、図１〜図４で示した符号と同一のものは、同一または相当物である。
【００２７】
この場合、傾斜取付面部６０は上記一つ目の参考例で用いた線状の傾斜取付面部５のようなみのではなくブロック状であり、貫通孔８内に内向き環状水平突部６１を有する。そして、前記締結手段による取付足１４への締結時に、前記締結手段が環状水平突部６１の下部水平面６１ａに当接し、上記実施形態と同様にロックナット３９による締付け操作を容易にできる。
【００２８】
図１、図５に示した上記各参考例では、混合栓本体２の下部ブロック体２ｂを上部大径部１０と下部小径部１１とから構成し、上部大径部１０の環状下面を取付足１４への載置面１３とし、取付足１４を、前記載置面１３が当接する上端環状面１７を有する上部大径載置部１５と下部小径取付部１６とから構成し、前記下部小径部１１が上部大径載置部１５内に嵌め込まれるとともに、前記載置面１３が前記上端環状面１７に当接した形で混合栓本体２を取付足１４上に載置する構成を採用した。すなわち、取付足１４は筒状ではあるが混合栓本体２を載置するためのフランジとしての上部大径載置部１５を持っている。
【００２９】
図６は、前記取付足１４から混合栓本体２を載置するためのフランジをなくしたこの発明の一つの実施形態を示す。なお、図６において、図１〜図５で示した符号と同一のものは、同一または相当物である。
【００３０】
図６において、取付足１４’は筒状で、前記下部小径部１１と等しい内径を有する。取付足１４’の高さも前記取付足１４に略等しい。
【００３１】
６２はワンホール混合栓であり、その本体６３は、混合流路、水流路および湯流路を形成する各流路穴を有する円柱体６４と、前記水流路に連通する給水管６５および前記湯流路に連通する給湯管６６が挿通する挿通穴を有する筒体６７と、上下に位置する円柱体６４と筒体６７をつなぐ湾曲面を有する湾曲体６８とよりなる。６９は、混合流路を形成する流路穴である。そして、円柱体６４の上面には弁部材７０を内蔵した湯水混合用の筒状ユニットケース７１が前記上面に係止されながら載置されている。ワンホール混合栓６２は傾斜取付面部６０にセットされている。
【００３２】
混合栓本体６３の前記筒体６７は、上部小径部６７ａと、上部小径部６７ａから下方に延設され、上部小径部６７ａの内径よりも大きな内径を有する下部大径部６７ｂとから構成される。７２は、上部小径部６７ａの下面で、幅がＤの内端環状面を構成する。この下面７２は取付足１４’への載置面となっている。
【００３３】
７４は、筒体６７の下部大径部６７ｂに穿設されたねじ孔、１９は、先端が尖った形状を有し、ねじ孔７４に螺合する止めねじで、下部大径部６７ｂ内に下方側から嵌め込まれた取付足１４’の外周壁に止めねじ１９を当接させることで混合栓本体６３の取付足１４’からの抜け止めを防止する。
【００３４】
なお、図７は、ワンホール混合栓１を傾斜取付面部５にセットした場合を示している。図７において、４２’，４３’は、傾斜保持具５５および取付足１４よりなる傾斜ユニット１２を覆う一対のカバー体で、係止爪４４と係止溝４５よりなる係止手段によって結合されている。図３に示したカバー体４２，４３と異なる点は、カバー体４２，４３の場合は両者４２，４３の継目９９がワンホール混合栓１の吐水管３の直下に現れ、それによって、ワンホール混合栓１の正面に向かった状態では継目９９が見えて見栄えが悪いのに対し、カバー体４２’，４３’の場合は、両者４２’，４３’の継目が、図７に示すように、継目９９より時計回りおよび反時計回りにそれぞれ９０°だけずれたワンホール混合栓１の両側面に現れ、それによって、ワンホール混合栓１の正面に向かった状態では継目を見え難くできる利点がある。
【００３５】
【発明の効果】
以上説明したようにこの発明では、１つの傾斜ユニットを用いるだけの簡易な機構で水栓本体の垂直姿勢を保持できるとともに、例えばワンホール混合栓の各種タイプの水栓を傾斜取付面部に容易に取付けることが可能となる。
【図面の簡単な説明】
【図１】    参考例を示す全体構成説明図である。
【図２】    （Ａ）は、上記参考例で用いた傾斜保持具の平面図である。
（Ｂ）は、上記参考例で用いた傾斜ユニットの取り付け動作を説明するための図である。
【図３】    上記参考例によるワンホール混合栓の設置状態を示す斜視図である。
【図４】    上記参考例における分解斜視図である。
【図５】    別の参考例を示す全体構成説明図である。
【図６】    この発明の一つの実施形態を示す全体構成説明図である。
【図７】    ワンホール混合栓を傾斜取付面部に設置した場合を示す斜視図である。
【符号の説明】
８…貫通孔、１２’…傾斜ユニット、１４’…取付足、１９…止めねじ、２０…傾斜フランジ、２１…中央穴、２２…結合片、２３，２４…ねじ孔、２５，２６…孔、３９…ロックナット、４０…環状パッキン、４１…座金、４２’，４３’…カバー体、４４…係止爪、４５…係止溝、５５…傾斜保持具、６０…傾斜取付面部、６２…ワンホール混合栓、６３…水栓本体、６４…円柱体、６７…筒体、６７ａ…上部小径部、６７ｂ…下部大径部、７０…弁部材、７１…筒状ユニットケース、７２…内端環状面、７４…ねじ孔。
【図１】
0003947347.tif 000002
【図２】
0003947347.tif 000003
【図３】
0003947347.tif 000004
【図４】
0003947347.tif 000005
【図５】
0003947347.tif 000006
【図６】
0003947347.tif 000007
【図７】
0003947347.tif 000008